(57)【特許請求の範囲】
【請求項１】
側面は逆Ｌ字型の形状をなし、天面は奥に向かって下り傾斜をなし、その面に配設された蒸気吸引口と、前記蒸気吸引口につながる吸気風洞と前記吸気風洞に直結したファンモ−タ−を備え、前記ファンモ−タ−により吸引され排出された風路上に配設された分岐風洞で２方向に分岐して、排出風洞へ排出するとともに、その排出口を前記蒸気吸引口の周囲の手前、側面２ヵ所に配設し、前記排出口に対して、送風ガイドを蒸気処理器の設置状態に合わせて、排出方向を変えられる構成とし、前記送風ガイド前は取付け方により、排出口に対して排出方向がやや内側またはより外側へなるように構成した蒸気処理器。
【請求項２】
前記排出口からの排気を外向けとし、前記送風ガイドの側面２箇所の送風ガイド右、送風ガイド左は排出口に対して排出方向が内側へなるように構成した請求項１記載の蒸気処理器。
【請求項３】
前記排出口からの排気を外向けとし、排出方向を外付け可変ル−バ−で自在に変えられる構成とした請求項１記載の蒸気処理器。
【請求項４】
前記排出口を機器本体の内側に配設し、排出方向を内付け可変ル−バ−で自在に変えられる構成とした請求項１記載の蒸気処理器。
【発明の詳細な説明】
【０００１】
【発明の属する技術分野】
本発明は、主に家庭で使用される電気炊飯器、電気ジャ−ポットより発生する蒸気を処理する蒸気処理器に関するものである。
【０００２】
【従来の技術】
一般に電気炊飯器、電気ジャ−ポット等の調理器具は、キッチンのカウンタ−、食卓、市販のキャビネット等の上で使用されているのが実情で、使用時に発生する蒸気により、吊り戸棚の底面や壁、天井等に露滴したり、直接、蒸気の当たっている箇所は熱の影響を受け、その影響でカビが発生して汚れたり、破損が生じ易く、また、キッチン内の湿度が上昇し室内がじめじめして快適性が損なわれたりする。影響の受け易いキッチンや家屋ではその防止策が望まれている。
【０００３】
従来、この種の対応には、換気扇を設置したり、、システムキッチンの１部にレンジフ−ドが設置されているが実際に電気炊飯器、電気ジャ−ポットを使用している場所と離れているため蒸気を処理する効果が非常に薄いものになっている。また、収納して蒸気を処理する収納庫が特公平７−１１４７３５公報に示すような構成であり、以下図１３を参照しながら説明する。
【０００４】
図１３に示すように、収納庫５１の中に、引き出しレ−ル５２により、前後自在に移動する収納台５３上に、調理器具５４を位置決めユニット５５により所定の位置に載置している。調理器具５４は、内部に米等の被加熱調理物を収納する鍋５６と鍋５６を加熱する発熱体５７を備えている。鍋５６の上面は蓋体５８により覆われ、蓋体５８の１部を貫通した蒸気筒５９を設けている。蒸気排出通路は蓋体５８の上部に設けられた逆漏斗状の収納庫用蒸気ガイド６０の頂上付近の排出口から、収納庫用案内パイプ６１、収納庫用風洞６２、収納庫用排出パイプ６３を経て外部へと放出されている。収納庫用風洞６２内には収納庫用蒸気排出モ−タ−６４により収納庫用ファン６５が蒸気及び空気を吸引する方向に回転している。収納庫用蒸気ガイド６０、収納庫用案内パイプ６１、収納庫用風洞６２、収納庫用排出パイプ６３に付着した露は収納庫用チュ−ブ６６を介して収納庫用露受け６７に回収される。
【０００５】
【発明が解決しようとする課題】
上述した従来の構成では、収納庫５１としてキッチンの中で占める割合が高くなり、調理器具５４自体も大きさ、形状、加熱手段等が変化してきており、収納が難しい課題等を抱えている。また、冷却構成をしていないため、排出口からは蒸気を含んだ空気が排出されており充分な蒸気処理がなされていないという課題があった。換気扇、レンジフ−ドでは場所として離れており、蒸気を処理するまでに至っていないのが実情である。また、電気炊飯器の蒸気出口に蒸気ガイドをわずかな隙間を設け、装着することで、蒸気の水分を冷却形成部で結露させ、除去できるが、炊飯の度に蒸気ガイドを電気炊飯器の蒸気出口に装着する不便さがあり、装着のために専用の電気炊飯器にする必要がある。
【０００６】
本発明は、上記課題を解決するもので、収納庫５１のように床面からの立体的な場所を必要とせず、また、炊飯の度に蒸気ガイドを電気炊飯器に装着する必要がないように、蒸気吸引口７ａより、蒸気と共に周辺の空気を吸い込み蒸気の密度を薄めて、また、蒸気温度に比べて排出空気の温度を大幅に下げて排出し、周辺のキッチンの面への結露を防ぐとともに、電気炊飯器、または電気ジャ−ポットからの蒸気を周辺へ漏れて結露するのを蒸気口周辺の排出口からの排気で防ぎコンパクトに製品化することを目的としている。
【０００７】
【課題を解決するための手段】
上記課題を解決するために本発明は、天面に配設された蒸気吸引口と前記蒸気吸引口につながる吸気風洞と、前記吸気風洞に直結したファンモ−タ−とを備え、前記ファンモ−タ−により吸引された蒸気を分岐風洞を介して、排出風洞に通じて排出するとともに、その排出口を前記蒸気吸引口の手前、側面の２ヶ所に配設し、排出口に対して、排出方向を変えるための送風ガイドを蒸気処理器の設置状態に合わせて、着脱自在にしてなるものである。
【０００８】
【発明の実施の形態】
請求項１記載の発明は、側面は逆Ｌ字型の形状をなし、天面は奥に向かって下り傾斜をなし、その面に配設された蒸気吸引口と、前記蒸気吸引口につながる吸気風洞と、前記吸気風洞に直結したファンモ−タ−を備え、前記ファンモ−タ−により吸引され排出された風路上に配設された分岐風洞で２方向に分岐して、排出風洞へ排出するとともに、その排出口を前記蒸気吸引口の周囲の手前、側面２ヵ所に配設し、前記排出口に対して、送風ガイドを蒸気処理器の設置状態に合わせて、排出方向を変えられる構成とし、前記送風ガイド前は取付け方により、排出口に対して排出方向がやや内側またはより外側へなるように構成したことにより、ファンモ−タ−により吸引された蒸気を分岐風洞を介して、排出風洞に通じて排出するとともに、その排出口を前記蒸気吸引口の手前、側面の２ヶ所に設けられた排出口により、排出口の外へ蒸気が逃げ難くなるものである。前記、排気口に対し、送風ガイドを備え、蒸気処理器の設置状態により、蒸気を外へ逃げ難くするため、その排気方向を変えられるように形成している。また、側面形状を逆Ｌ字型にし、天面形状を奥に向かって下り傾斜を付けることにより、コンパクトな製品が得られ、万一フィルタ−や、吸気風洞内で結露しても傾斜に沿って蒸気処理器の中に流れるのでキッチンカウンタ−の上に滴下しないものである。
【０００９】
請求項２記載の発明は、前記排出口からの排気を外向けとし、前記送風ガイドは着脱自在とし、側面２箇所は近接して壁などの障害物がある場合はその側に送風ガイド右または、送風ガイド左を内方向になるように構成したものである。
【００１０】
請求項３記載の発明は、前記排気口からの排気を外向けとし、前記送風ガイドの排出方向を外付け可変ル−バ−により、自在に変えられる構成としたものである。
【００１１】
請求項４記載の発明は、前記排気口を機器本体の内側に配設し、排気方向を内付け可変ル−バ−により、自在に変えられるようにしたものである。
【００１２】
【実施例】
以下、本発明の一実施例について図１〜図１３を参照しながら説明する。
【００１３】
図１は、本発明の一実施例を示した正面図で、図２は、図１のＡ１−Ａ２断面矢視図に、使用状況が分かるように電気炊飯器１、システムキッチンのカウンタ−２、吊り戸棚３、奥壁４ａを部分的に書き加えた断面図である。図３は、裏面図で裏板６を外した図で、電源プラグ２８部分は内部から見た状態を部分的に描いている。図４は、図１を上面から見た上面図で天板５を外し、部分的に排出風洞１７を切欠きボディ上の排出口１７ａの形状が分かるようにした図である。図５は、図４のＢ１ーＢ２断面図である。図６は、送風ガイド左１９、送風ガイド右２０、送風ガイド前２１の形状と取付ける箇所を矢印で表した概略図である。
【００１４】
また、図７は、排出口１７ａ部の排出口桟１７ｄに送風ガイド左１９を取付けた部分断面矢視図である。図８は、図５の排出風洞１７とボディ上８の排出口１７ａを部分拡大し、送風ガイド右２０を取付けた断面図である。図９は、図２の排出風洞１７とボディ上８の排出口１７ａ手前側を部分拡大し、手前側に送風ガイド前２１を取付けた断面図である。図１０は、図２の排出風洞１７とボディ上８の排出口１７ａ手前側を部分拡大し、奥側に送風ガイド前２１を取付けた断面図である。図１１は、図５の排出風洞１７とボディ上８の排出口１７ａを部分拡大し、排出口１７ａの右側に外付け可変ル−バ−２９を取付けた断面図である。図１２は、図５の排出風洞１７とボディ上８の排出口１７ａの右側に内付け可変ル−バ−３０を取付けた断面図である。
【００１５】
図２に示すように蒸気処理器は天面部分で吊り戸棚３に取付けられ、キッチンカウンタ−２に電気炊飯器１の蒸気出口を蒸気処理器の蒸気吸引口７ａのほぼ真下になるように置き使用する。図１及び図２に示すように、天板５、裏板６、ボディ上８、ボディ下９により外観は形付けられている。外観形状は逆Ｌ字型でコンパクトなため、吊り戸棚３の底板に取付けられるので、キッチンカウンタ−２の上が有効に使われるものである。また、天面形状は奥に向かって下り傾斜をしているのでフィルタ−１０も同様の傾斜で取付けるのでフィルタ−１０部に結露しても蒸気処理器の中へ流れ落ちるので、キッチンカウンタ−２を濡らして汚すことを防がれる。フィルタ−１０は飛んでいる小さな虫を中へ吸い込まないように小さな穴か網目を有している。フィルタ−１０はボディ上８に着脱自在とし、手入れが容易にできる構成にしている。蒸気処理器の設置状態により、送風ガイド１９、送付ガイド２０、送風ガイド２１が取付けられる。
【００１６】
全体の概略構成を図３及び図４により、説明する。天板５、裏板６は鉄板などで造られ、蒸気処理器の土台を形成する。吸気風洞７は、天面に取付けられ入口は蒸気吸引口７ａを形成し、出口はフアンモ−タ−１１に繋がっている。ボディ上８と吸気風洞７の接続部は吸気部パッキン１３により、吸気風洞７とファンモ−タ−１１の接続部はファン部パッキン１４により、空気漏れや水が漏れるのを防いでいる。ファンモ−タ−１１出口と分岐風洞１５の入口はゴム性の接続パッキン１６で繋がれ、分岐風洞１５で吸引された蒸気と空気は２方向に分けられ、排出風洞１７の入口２ヶ所に繋がれる。蒸気吸引口７ａからファンモ−タ−１１により吸引された蒸気と空気は吸気風洞７、ファンモ−タ−１１、分岐風洞１５、排出風洞１７を経て、排出風洞１７とボディ上８によって構成された排出口１７ａより排出される。１２はコンセントである。排出口１７ａは蒸気吸引口７ａの手前、側部２ヶ所に形成され、下面やや外側に向かって蒸気及び空気が排出されるように構成されている。排出風洞１７は乱流を防ぐために手前中央部に排出風洞仕切部１７ｂを設けている。図５の部分拡大図に示すように排出風洞１７の出口に対し、ボディ上８の排出部は傾斜を造りやや外側、下側に向かって排出できる構成を簡単な部品構成で得ている。
【００１７】
吸気風洞７と排出風洞１７は１体ブロ−成形で造られ、２個の部品を１個にすることにより、成形費が安価となり、また、組立費もねじ締めが半分で行われ安価で、なお、排出風洞１７は単体でブロ−成形するより中央部に成形部分があるので寸法安定性が優れたものが得られるものである。ボディ上８の排出部と排出風洞１７の排出部の蒸気及び空気の横漏れを防ぐため、排出部パッキン１８が用いられている。なお、吸気部パッキン１３、ファン部パッキン１４、排出部パッキン１８には弾力性に富んだ独立気泡のウレタンゴムまたは、シリコンゴムが材質として用いられ、少ない締めつけ力で蒸気及び空気の漏れを防ぐことができるものである。ボディ下９にはファンモ−タ−１１の位置決め部９ａと分岐風洞１５の分岐風洞位置決め部９ｂを有している。
【００１８】
ファンモ−タ−１１の出口と分岐風洞１５の入口を接続パッキン１６で結合される。分岐風洞１５の出口を排出風洞１７の入口に挿入後、裏板側より、ねじ締めすることができ、ねじの先端が製品の外に出ず、製品の取扱い時に怪我などが生じる恐れのない安全な構成が簡単で安価に得られるものである。図６は、送風ガイド左１９，送風ガイド２０、送風ガイド前２１のそれぞれの概略図とボディ上８の排出口１７ａへの取付け位置を矢印で示している。図７は、送風ガイド左１９を排出口１７ａに取付けた部分断面矢視図で、送風ガイド左フック１９ａを排出口桟１７ｃに差し込んで、スライドしすると送風ガイド左抜け止め突起１９ｂが排気口端面１７ｄに入り込み止まる。送風ガイド右２０、送風ガイド２１も同様の構成で取付けられる。送風ガイド左１９、送風ガイド２０、送風ガイド２１はある程度柔軟性のある熱可塑性のプラスチックで造られ、送風ガイド左１９で説明すると送風ガイド左抜け止め突起１９ｂがその弾力により、排気口端面１７ｄに引っ掛かり、止められる構成が安価で得られる。
【００１９】
図７の２点鎖線は取付け固定前の送風ガイド左１９の送風ガイド左抜け止め突起１９ｂ部分のそり曲がった状態を表している。図８は、図５を部分拡大し、送風ガイド右２０を取付けたもので、送風ガイド右２０を取付けることにより蒸気及び空気の流れを外向けから内向けへ変わるようになっている。
【００２０】
図９は、図２を部分拡大し、送風ガイド前２１を排出口１７ａに対し、手前側に付け蒸気及び空気の流れを外向けからやや内向けに変えたものである。図１０は、図２を部分拡大し、送風ガイド前２１を排出口１７ａに対し、奥側に付け蒸気及び空気の流れをより外向けに変えたものである。図１１では、外付け可変ル−バ−２９を排気口１７ａの蒸気及び空気の排出される方向に取付け、外向けの流れを手動で流れを任意に変えるようにしたものである。図１２では、ボディ上８の内側に排気口１７ａ、内付け可変ル−バ−３０を排気口１７ａの周辺に設け蒸気及び空気の流れを内付け可変ル−バ−３０を手動で動かすことにより、容易に変えることができるものである。手動をモ−タ−などを用いて自動で動かすようにすることもできるものである。
【００２１】
図１の操作部には切スイッチ２２、連続スイッチ２３、自動スイッチ２４を有し、連続スイッチ２３を入れると連続ランプ２５が、自動スイッチ２４を入れると自動ランプ２６が点灯する。図３の２７は制御回路で、２８は電源プラグである。
【００２２】
上記構成において、例として、電気炊飯器１の電源をコンセント１２より得るようにして自動スイッチ２４を入れ自動にして、電気炊飯器１を蒸気吸引口７ａのほぼ真下に置き炊飯を開始する。電流が流れ始めると制御回路２７が電流を検知して、ファンモ−タ−１１が回り出す。制御回路２７の電流検知をマイコンなどで予め、ある一定の電流が何秒間流れたら、ファンモ−タ−１１へ電気を通ずるようにして置けば自動的にファンモタ−１１が回り出すプログラムを組むことができる。本実施例では、炊飯時、保温時の電流の大きさ、流れる時間を考慮して、ダブル電流検知を採用し、第１の電流検知、２Ａ以上、１２．８秒以上、または、第２の電流検知、６．６Ａ以上、３．３秒以上の電流が流れたら、ファンモ−タ−１１に電気を流し回るようにしている。前記電流、流れる時間を常に検知しており、検知しなくなったら２０分後にファンモ−タ−１１を止めるようにプログラムを組んでいる。現在、市販されている殆どの電気炊飯器１、電気ジャ−ポットは前記のダブル検知電流で対応できているが、将来的にはトリプル電流検知なども必要性が生じる可能性もある。
【００２３】
連続スイッチ２３は、コンセント１２以外の別のコンセントを用いて、電気炊飯器１、または電気ジャ−ポットから出る蒸気を処理する場合に手動でフアンモ−タ−１１を回したり、切スイッチ２２で止めたりする。
【００２４】
電気炊飯器１の蒸気口より蒸気が排出され、蒸気は上昇し、蒸気吸引口７ａに達する。ファンモ−タ−１１が吸引する方向で回転しているので、蒸気は吸気風洞７に空気とともに吸引される。吸引された蒸気と空気は吸気風洞７、ファンモ−タ−１１を経て、分岐風洞１５に達し、分岐風洞１５で蒸気と空気は両サイドに分岐され、排出風洞１７の両サイドへ送り込まれる。そして、蒸気吸引口７ａの周囲に形成された排出口１７ａから排出される。電気炊飯器１からの蒸気は、炊飯する機種、炊飯量、水加減などによって異なるが、４０〜１１０ｍＬの範囲にある。一つの例として、１回の炊飯に８０ｍＬの蒸気量が出た場合の蒸気処理は次のようになる。１８ｇの水は２２．４Ｌの蒸気になる。この蒸気は約１２分間に亘って炊飯器１の蒸気口より放出される。１分間の蒸気量を計算すると８．３Ｌとなる。風量０．６５ｍ３／分のファンモ−タ−１１を使用すると蒸気は７７分の１に薄められる。従って、蒸気をそのまま壁や天井に当てた場合よりも結露が生じ難くなる。
【００２５】
電流検知の設定以下になった時点から、本実施例では２０分間ファンモ−タ−１１が回り、自動的に止まる。その時点で通常、吊り戸棚３と電気炊飯器１の蒸気口と３５ｃｍの距離を置き、炊飯した場合、吊り戸棚３の底面及び前面に結露が見られるが、蒸気処理器の蒸気吸引口７ａと電気炊飯器１の蒸気口の距離を３５ｃｍ置いて炊飯した場合は吊り戸棚３の底面及び前面に結露を生じなかった。なお、蒸気吸引口７ａと電気ジャ−ポットの蒸気口の距離を１３ｃｍの距離を置いてカルキ抜きモ−ドで湯を沸かした場合、蒸気吸引口７ａの周辺温度が約７０℃に到達しているのに、排出口１７ｂの温度は約４０℃で温度が約３０℃下がった状態で蒸気と空気の混合された状態で排出されており、結露も生じ難くなっていることが分かる。温度の下がる効果は、蒸気吸引口７ａと電気炊飯器または、電気ジャ−ポットの蒸気口の距離が短い程大きい結果が得られた。
【００２６】
また、蒸気吸引口７ａの手前、側面２ヶ所に排出口１７ａを設けることにより、風量２ｍ３／分のファンモ−タ−を使用したときよりも目視ではあるが、蒸気の逃げは少ない結果が得られた。
【００２７】
蒸気処理器に近接して側壁４ｂがある場合は、排出口１７ａから、排出される蒸気及び空気の温度が高いと側壁４ｂに当たり結露が生じる。この場合側壁４ｂに直接、蒸気及び空気が当たらないように排出方向を変えた方が結露が生じないので蒸気処理器の設置状態に合わせて、送風ガイド左１９、送風ガイド右２０、送風ガイド前２１を取付ける。常温の使用状態では蒸気処理器の側壁から、１５ｃｍ以上離れた箇所では送風ガイド左１９、送風ガイド右２０を取付けなくても結露に対し差がなく結露も生じ難かった。１５ｃｍ未満では、送風ガイド左１９または送風ガイド右２０を付けることにより、結露は生じなくなった。送風ガイド前２１は電気炊飯器１または電気ジャ−ポットの蒸気出口と蒸気吸引口７ａの距離が１０〜２０ｃｍの範囲にある場合は奥側に取付けることで蒸気及び空気が外側へ排出され結露が生じなくなった。蒸気処理器の置かれている高さの空間も６５ｃｍ未満の場合は送風ガイド前２１は奥側に付けることにより、結露が生じなかった。２０ｃｍ以上の場合は手前側に付けることにより、蒸気及び空気に逃げを防ぎ結露が生じなかった。高さの空間は６５ｃｍ以上の場合は手前側に送風ガイド前２１を付けることで結露は生じなかった。蒸気出口と蒸気吸引口７ａの距離、蒸気処理器の置かれている高さの寸法については結露しない寸法域は交絡しており、区切りとして説明寸法とした。
【００２８】
前記の試験結果から、明らかなように風量の少ないファンモ−タ−１１を使用できるために騒音の低減、省エネルギ−が得られ、設置状態によって排気する方向を自在に変えられるので、製品の外形寸法もコンパクトにできるものである。以上の構成で設置体積の少ないバランスの良い蒸気処理器が得られ、設置場所も吊り戸棚３の下面を利用して取付けるので比較的活用していない空間を活用するので設置に排気工事も伴わず、ト−タルコストとして、安価な蒸気処理器が得られるものである。
【００２９】
以上のように、炊飯の度に蒸気ガイドを炊飯器の蒸気出口に装着する必要もなく、専用の電気炊飯器を必要とせず、幅広い電気炊飯器に対応でき、電気ジャ−ポットから、出る蒸気にも対応出来る便利性を有している。
【００３０】
このように蒸気処理器を設置することで、蒸気の密度を大幅に下げて排出するため、吊り戸棚３、キッチンル−ムの天井、壁４が結露により濡れるのを防ぐことができ、カビの発生や熱、結露による破損も防ぐことができるものである。
【００３１】
このように簡単な構成で安価な設置体積の少ない高性能な使い易い蒸気処理器で幅広い対応が図られるものである。
【００３２】
【発明の効果】
以上のように、請求項１記載の発明によれば、電気炊飯器、電気ジャ−ポットの蒸気口を蒸気吸引口のほぼ真下に置いて使用することにより、電気炊飯器、電気ジャ−ポットから出る蒸気をファンモ−タ−の回転を吸引する方向に回転させることで蒸気吸引口を通じて空気とともに吸引し、吸気風洞と、前記蒸気風洞に直結されたファンモ−タ−を備え、前記ファンモ−タ−により、吸引された蒸気を分岐風洞を介して、排出風洞を通じて排出するとともに、その排出口を前記蒸気吸引口の手前、側面の２ヶ所に配設してなることにより、キッチンル−ムの天井、壁等が結露により濡れるのを防ぐことができ、カビの発生や熱、結露による破損も防ぐことができるものである。また、蒸気吸引口の手前、側面２ヶ所に設けられた排出口により排出口の外へ蒸気が逃げ難くなるもので蒸気処理器の設置状態により、送風ガイドを取付けることで結露を防ぐ効果を高めることができるものである。また、蒸気処理器の設置状態により、送風ガイド前を手前側奥側に付けることにより、排気をやや内側にしたり、より外側にすることで外向きの排気の方向を変えることを安価な構成で得られ、取付け性も容易で結露を生じ難くしたものである。
【００３３】
また、請求項２記載の発明は、蒸気処理器の側面に対し、側壁が１５ｃｍ未満の場合にその側壁面に対し、送風ガイド左または送風ガイド右を付けることにより、外向きの排気の方向を内向きに変えることを安価な構成で得られ、取付け性も容易で結露を生じ難くしたものでる。
【００３４】
また、請求項３の発明は、蒸気処理器の設置状態により、外向きの排気の方向を変えることを外付け可変ル−バ−で手動で排気方向を最も適切にして、結露を生じ難くしたもので、構成も簡単で安価なものである。
【００３５】
また、請求項４の発明は、蒸気処理器の設置状態により、内付け可変ル−バ−を取付け、手動で排気方向を最も適切にして、結露を生じ難くしもので、コスト的にやや高くなるがデザインとしては前記の方法に比してすぐれている。
【図面の簡単な説明】
【図１】  本発明の一実施例を示した正面図
【図２】  本発明の図１のＡ１−Ａ２断面矢視図に、使用状況が分かるように電気炊飯器１、システムキッチンカウンタ−２、吊り戸棚３、壁４を部分的に書き加えた断面図
【図３】  本発明の裏板を外して裏から見た図で電源プラグ部分は内部から、見た部分図を描いた裏面図
【図４】  本発明の図１の上面から見た図で天板を外し、部分的に排出風洞を切欠きボディ上の排出口が分かるようにした上面図
【図５】  本発明の図４のＢ１−Ｂ２断面図
【図６】  本発明の送風ガイド左、送風ガイド右、送風ガイド前の形状と取付ける箇所を矢印で示した概略図
【図７】  本発明の送風ガイド左を取付けた部分断面矢視図
【図８】  本発明の送風ガイド右を取付けた部分断面図
【図９】  本発明の送風ガイド前を手前側に取付けた部分断面図
【図１０】  本発明の送風ガイド前を奥側に取付けた部分断面図
【図１１】  本発明の外付け可変ル−バ−を取付けた部分断面図
【図１２】  本発明の内付け可変ル−バ−を取付けた部分断面図
【図１３】  従来例を示す蒸気排出ファン付収納庫の部分断面図
【符号の説明】
１      電気炊飯器
２      キツチンのカウンタ−
３      吊り戸棚
４      壁
４ａ    奥壁
４ｂ    側壁
５      天板
６      裏板
７      吸気風洞
７ａ    蒸気吸引口
８      ボディ上
９      ボディ下
９ａ    ファンモ−タ−位置決め部
９ｂ    分岐風洞位置決め部
１０    フィルタ−
１１    ファンモ−タ−
１２    コンセント
１３    吸気部パッキン
１４    ファン部パッキン
１５    分岐風洞
１６    接続パッキン
１７    排出風洞
１７ａ  排出口
１７ｂ  排出風洞仕切部
１７ｃ  排出口桟
１７ｄ  排出口端面
１８    排出部パッキン
１９    送風ガイド左
１９ａ  送風ガイド左フック
１９ｂ  送風ガイド左抜け止め突起
２０    送風ガイド右
２１    送風ガイド前
２２    切スイッチ
２３    連続スイッチ
２４    自動スイッチ
２５    連続ランプ
２６    自動ランプ
２７    制御回路
２８    電源プラグ
２９    外付き可変ル−バ−
３０    内付き可変ル−バ−
５１    収納庫
５２    引き出しレ−ル
５３    収納台
５４    調理器具
５５    位置決めユニット
５６    鍋
５７    発熱体
５８    蓋体
５９    蒸気筒
６０    収納庫用蒸気ガイド
６１    収納庫用案内パイプ
６２    収納庫用風洞
６３    収納庫用排出パイプ
６４    収納庫用蒸気排出モ−タ−
６５    収納庫用ファン
６６    収納庫用チュ−ブ
６７    収納庫用露受け
【図１】
0004035917.tif 000002
【図２】
0004035917.tif 000003
【図３】
0004035917.tif 000004
【図４】
0004035917.tif 000005
【図５】
0004035917.tif 000006
【図６】
0004035917.tif 000007
【図７】
0004035917.tif 000008
【図８】
0004035917.tif 000009
【図９】
0004035917.tif 000010
【図１０】
0004035917.tif 000011
【図１１】
0004035917.tif 000012
【図１２】
0004035917.tif 000013
【図１３】
0004035917.tif 000014